(57)【要約】【課題】無線基地局ｅＮＢが、ＬＴＥのＲｅｌ.９方式のＳＳＡＣ規制情報を送信することができない場合であっても、「ＭＭＴＥＬ発信呼」に対するアクセス規制制御を行う。【解決手段】本発明に係る移動局ＵＥでは、ＡＳレイヤ機能１０は、無線基地局ｅＮＢから、ＬＴＥのＲｅｌ.８方式の移動通信システムで用いられる第１規制情報を含む報知情報を受信する報知情報受信部１１と、移動局ＵＥのＡＣ及び第１規制情報に基づいて、ＬＴＥのＲｅｌ.９方式の移動通信システムで用いられる第２規制情報を生成する調整部１３と、かかる第２規制情報を、ＭＭＴＥＬ/ＩＭＳレイヤ機能３０に通知する通知部１４とを具備しており、ＭＭＴＥＬ/ＩＭＳレイヤ機能３０は、かかる第２規制情報に基づいて、発信処理を行うことができるか否かについて判定する判定部２４を具備することを要旨とする。【選択図】図７
2011082716.tif 000002
【特許請求の範囲】
【請求項１】
移動局であって、
無線アクセスネットワークとの間で通信を行う第１レイヤ機能と、
サービス制御ネットワークとの間で終端する第２レイヤ機能とを具備しており、
前記第１レイヤ機能は、
無線基地局から、旧方式の移動通信システムで用いられる第１規制情報を含む報知情報を受信するように構成されている報知情報受信部と、
前記移動局のアクセスクラス及び前記第１規制情報に基づいて、新方式の移動通信システムで用いられる第２規制情報を生成するように構成されている調整部と、
前記第２規制情報を、前記第２レイヤ機能に通知するように構成されている通知部とを具備しており、
前記第２レイヤ機能は、
前記第２規制情報に基づいて、発信処理を行うことができるか否かについて判定するように構成されている判定部を具備することを特徴とする移動局。
【請求項２】
前記調整部は、
前記無線基地局から受信した報知情報に、前記新方式の移動通信システムの拡張報知情報を含むか否かについて判定するように構成されており、
前記拡張報知情報が含まれていないと判定された場合は、前記第１規制情報に基づいて、前記第２規制情報を生成するように構成されており、
前記拡張報知情報が含まれていると判定された場合は、前記拡張報知情報に含まれる第３規制情報に基づいて、前記第２規制情報を生成するように構成されていることを特徴とする請求項１に記載の移動局。
【請求項３】
前記第１レイヤ機能は、
前記第２レイヤ機能からの発信処理要求に応じて、発信処理の禁止期間内であるか否かに基づいて、発信を行うことができるか否かについて判定するように構成されている判定部を更に具備することを特徴とする請求項１に記載の移動局。
【請求項４】
前記第１レイヤ機能の判定部は、接続要求の応答として無線基地局からＲｅｊｅｃｔ信号を受信した場合に、該Ｒｅｊｅｃｔ信号に含まれる値に基づいて、前記発信処理の禁止期間を管理するタイマを起動するように構成されていることを特徴とする請求項３に記載の移動局。
【請求項５】
前記第２レイヤ機能の判定部は、前記第２規制情報に含まれる閾値と乱数とを比較することによって、前記判定を行うように構成されていることを特徴とする請求項１に記載の移動局。
【請求項６】
前記第２レイヤ機能の判定部は、前記第２規制情報に含まれる時間情報に基づいて決定された発信処理の禁止期間内であるか否かについて判定することによって、前記判定を行うように構成されていることを特徴とする請求項１に記載の移動局。
【請求項７】
前記第２レイヤ機能の判定部は、発信処理を行うことができないと判定した場合に、前記第２規制情報に含まれる時間情報に基づいて、前記発信処理の禁止期間を管理するタイマを起動するように構成されていることを特徴とする請求項６に記載の移動局。
【請求項８】
前記調整部は、発信呼の種別ごとの前記第２規制情報を生成するように構成されていることを特徴とする請求項１に記載の移動局。
【請求項９】
前記報知情報受信部によって報知情報が受信されたタイミングで、前記調整部は、前記第２規制情報を生成し、前記通知部は、前記第２規制情報を、前記第２レイヤ機能に通知するように構成されていることを特徴とする請求項１に記載の移動局。
【請求項１０】
前記調整部によって生成された第２規制情報を記憶し、生成された第２規制情報が前回記憶した値から変更になった場合にのみ、前記通知部は、該第２規制情報を、前記第２レイヤ機能に通知するように構成されていることを特徴とする請求項１に記載の移動局。
【請求項１１】
前記第１レイヤ機能は、ＡＳレイヤ機能であり、
前記第２レイヤ機能は、ＭＭＴＥＬレイヤ機能或いはＩＭＳレイヤ機能であることを特徴とする請求項１に記載の移動局。
【発明の詳細な説明】
【技術分野】
【０００１】
本発明は、移動局に関する。
【背景技術】
【０００２】
３ＧＰＰで規定されている移動通信システムでは、各移動局ＵＥ（ＵＳＩＭ：Ｕｓｅｒ  Ｓｕｂｓｃｒｉｂｅｒ  Ｉｄｅｎｔｉｔｙ  Ｍｏｄｕｌｅ）は、ＡＣ（Ａｃｃｅｓｓ  Ｃｌａｓｓ、アクセスクラス）０〜９の内のいずれか１つを保有している。
【０００３】
また、ネットワーク運用者や警察や政府関係者等用の特殊な移動局ＵＥ（ＵＳＩＭ）は、ＡＣ１１〜１５を保有する場合がある。ＡＣ１１〜１５を、以下 、「Ｓｐｅｃｉａｌ  ＡＣ」 と呼ぶ。なお、ＡＣ１０は、緊急呼用ＡＣで、移動局ＵＥ（ＵＳＩＭ）に保有されるものではなく、１１０番や１１９番発信時等に使われるＡＣである。
【０００４】
図１１に、ＬＴＥ（Ｌｏｎｇ  Ｔｅｒｍ  Ｅｖｏｌｕｔｉｏｎ）のＲｅｌ.８方式におけるアクセス規制制御方法の一例を示す。
【０００５】
図１１に示すように、ＬＴＥのＲｅｌ.８方式では、移動局ＵＥは、着信応答呼や緊急呼や発信呼やシグナリング呼といった呼の種別に応じて、また、自身が属するＡＣや報知情報（ＳＩＢ２：Ｓｙｓｔｅｍ  Ｉｎｆｏｒｍａｔｉｏｎ  Ｂｌｏｃｋ  ２）に含まれる規制情報（ａｃ-ＢａｒｒｉｎｇＩｎｆｏｒｍａｔｉｏｎ）、すなわち、「Ｃｏｍｍｏｎ  ＡＣ規制情報」に応じて、発信を行うことができるか否かについて判定するように構成されている。
【０００６】
図１２に、ＬＴＥのＲｅｌ.８方式に対応するＳＩＢ２の構成の一例について示す。
【０００７】
例えば、発信呼に対しては、まず、移動局ＵＥが、ＡＣ１１〜１５を保有するか否かについてチェックし、ＡＣ１１〜１５を保有する場合は、報知情報（ＳＩＢ２）に含まれる「Ｓｐｅｃｉａｌ  ＡＣ」に対する規制情報（ａｃ-ＢａｒｒｉｎｇＦｏｒＳｐｅｃｉａｌＡＣ）を確認する。
【０００８】
「ａｃ-ＢａｒｒｉｎｇＦｏｒＳｐｅｃｉａｌＡＣ」には、ＡＣ１１〜１５の各々に対する発信可否を表す１ビットの情報（計５ビット）が含まれる。移動局ＵＥは、自身が有するＡＣ１１〜１５のいずれか１つでも「ａｃ-ＢａｒｒｉｎｇＦｏｒＳｐｅｃｉａｌＡＣ」によって発信可能であると判定された場合、発信処理を開始する。
【０００９】
一方、移動局ＵＥは、ＡＣ１１〜１５を有さない場合や「ａｃ-ＢａｒｒｉｎｇＦｏｒＳｐｅｃｉａｌＡＣ」によって保有する全てのＡＣ１１〜１５が発信不可と判定された場合、［０，１）の一様乱数を生成し、生成した乱数が報知情報（ＳＩＢ２）に含まれる「ａｃ-ＢａｒｒｉｎｇＦａｃｔｏｒ」より小さいか否かについて判定する。
【００１０】
移動局ＵＥは、生成した乱数が「ａｃ-ＢａｒｒｉｎｇＦａｃｔｏｒ」より小さい場合、発信処理を開始するが、それ以外の場合は、発信呼専用の禁止タイマを起動する。発信呼専用の禁止タイマが起動中の場合は、移動局ＵＥは、新たな発信呼の発信処理を開始することが禁止される。
【００１１】
また、かかる移動局ＵＥは、発信を試みたが無線基地局ｅＮＢによってＲｅｊｅｃｔされた場合、ＲＲＣＣｏｎｎｅｃｔｉｏｎＲｅｊｅｃｔに含まれるタイマ値の期間（すなわち、タイマＴ３０２が起動している期間）、緊急呼以外の呼の発信が規制されるように構成されている。
【００１２】
一方、ＬＴＥのＲｅｌ.９方式では、ＳＳＡＣ（Ｓｅｒｖｉｃｅ  Ｓｐｅｃｉｆｉｃ  Ａｃｃｅｓｓ  Ｃｏｎｔｒｏｌ）が議論されている。ＳＳＡＣでは、「ＭＭＴＥＬ/ＩＭＳ-ｖｏｉｃｅ発信呼」と「ＭＭＴＥＬ/ＩＭＳ-ｖｉｄｅｏ発信呼」と「その他の発信呼」について、独立に規制制御可能とすることが想定されている。
【００１３】
よって、ＬＴＥのＲｅｌ.９方式では、「ａｃ-ＢａｒｒｉｎｇＦａｃｔｏｒ」や「ａｃ-ＢａｒｒｉｎｇＴｉｍｅ」や「ａｃ-ＢａｒｒｉｎｇＦｏｒＳｐｅｃｉａｌＡＣ」といった規制情報を、３種類、独立に報知することが想定されている。
【００１４】
なお、「ＭＭＴＥＬ/ＩＭＳ-ｖｏｉｃｅ発信呼」及び「ＭＭＴＥＬ/ＩＭＳ-ｖｉｄｅｏ発信呼」用として新規の規制情報（「ＳＳＡＣ規制情報」）を報知し、「その他の発信呼」用の規制所情報としては、ＬＴＥのＲｅｌ.８方式で用いられている「Ｃｏｍｍｏｎ  ＡＣ規制情報」を適用することが想定されている。
【００１５】
ここで、ＡＳレイヤ機能において発信呼の種別を識別するのはプロトコル分離上望ましくないため、「ＭＭＴＥＬ/ＩＭＳ-ｖｏｉｃｅ発信呼」及び「ＭＭＴＥＬ/ＩＭＳ-ｖｉｄｅｏ発信呼」に対する規制（ＳＳＡＣ規制）は、ＭＭＴＥＬ/ＩＭＳレイヤ機能で実現することが想定されている。
【先行技術文献】
【非特許文献】
【００１６】
【非特許文献１】３ＧＰＰ  ＴＳ３６.３３１
【非特許文献２】３ＧＰＰ  ＴＳ２２.０１１
【発明の概要】
【発明が解決しようとする課題】
【００１７】
しかしながら、無線基地局ｅＮＢが、ＬＴＥのＲｅｌ.９方式のＳＳＡＣ規制情報を送信することができない場合には、移動局ＵＥは、「ＭＭＴＥＬ/ＩＭＳ-ｖｏｉｃｅ発信呼」及び「ＭＭＴＥＬ/ＩＭＳ-ｖｉｄｅｏ発信呼」に対するアクセス規制制御を行うことができないという問題点があった。例えば、ＬＴＥのＲｅｌ.９方式の移動局ＵＥが、ＬＴＥのＲｅｌ.８方式の無線基地局ｅＮＢに在圏する場合等が当てはまる。
【００１８】
そこで、本発明は、上述の課題に鑑みてなされたものであり、無線基地局ｅＮＢが、ＬＴＥのＲｅｌ.９方式のＳＳＡＣ規制情報を送信することができない場合であっても、「ＭＭＴＥＬ/ＩＭＳ-ｖｏｉｃｅ発信呼」及び「ＭＭＴＥＬ/ＩＭＳ-ｖｉｄｅｏ発信呼」に対するアクセス規制制御を行うことができる移動局を提供することを目的とする。
【００１９】
また、ＭＭＴＥＬ/ＩＭＳレイヤ機能において、ＬＴＥのＲｅｌ.８方式及びＲｅｌ.９方式のどちらが適用されているか意識することなく、共通の処理で規制制御を実現できる移動局を提供することを目的とする。
【課題を解決するための手段】
【００２０】
本発明の第１の特徴は、移動局であって、無線アクセスネットワークとの間で通信を行う第１レイヤ機能と、サービス制御ネットワークとの間で終端する第２レイヤ機能とを具備しており、前記第１レイヤ機能は、無線基地局から、旧方式の移動通信システムで用いられる第１規制情報を含む報知情報を受信するように構成されている報知情報受信部と、前記移動局のアクセスクラス及び前記第１規制情報に基づいて、新方式の移動通信システムで用いられる第２規制情報を生成するように構成されている調整部と、前記第２規制情報を、前記第２レイヤ機能に通知するように構成されている通知部とを具備しており、前記第２レイヤ機能は、前記第２規制情報に基づいて、発信処理を行うことができるか否かについて判定するように構成されている判定部を具備することを要旨とする。
【発明の効果】
【００２１】
以上説明したように、本発明によれば、無線基地局ｅＮＢが、ＬＴＥのＲｅｌ.９方式のＳＳＡＣ規制情報を送信することができない場合であっても、「ＭＭＴＥＬ/ＩＭＳ-ｖｏｉｃｅ発信呼」及び「ＭＭＴＥＬ/ＩＭＳ-ｖｉｄｅｏ発信呼」に対するアクセス規制制御を行うことができる移動局を提供することができる。
【図面の簡単な説明】
【００２２】
【図１】本発明の第１の実施形態に係る移動通信システムの全体構成図である。
【図２】本発明の第１の実施形態に係る無線基地局によって送信されるＳＩＢ２の構成の一例を示す図である。
【図３】本発明の第１の実施形態に係る移動局の機能ブロック図である。
【図４】本発明の第１の実施形態に係る移動局内部のＡＳレイヤ機能の機能ブロック図である。
【図５】本発明の第１の実施形態に係る移動局内部のＭＭＴＥＬ/ＩＭＳレイヤ機能の機能ブロック図である。
【図６】本発明の第１の実施形態に係る移動局内部のレイヤ機能間の動作を示すシーケンス図である。
【図７】本発明の第１の実施形態に係る移動局内部のＡＳレイヤ機能の動作を示すフローチャートである。
【図８】本発明の第１の実施形態に係る移動局内部のＡＳレイヤ機能の動作を示すフローチャートである。
【図９】本発明の第１の実施形態に係る移動局内部のＡＳレイヤ機能の動作を示すフローチャートである。
【図１０】本発明の第１の実施形態に係る移動局内部のＭＭＴＥＬ/ＩＭＳレイヤ機能及びＡＳレイヤ機能の動作を示すフローチャートである。
【図１１】ＬＴＥのＲｅｌ.８方式の移動通信システムにおけるアクセス規制制御方法を示すフローチャートである。
【図１２】ＬＴＥのＲｅｌ.８方式の移動通信システムにおける無線基地局によって送信されるＳＩＢ２の構成の一例を示す図である。
【発明を実施するための形態】
【００２３】
（本発明の第１の実施形態に係る移動通信システムの構成）
図１乃至図４を参照して、本発明の第１の実施形態に係る移動通信システムの構成について説明する。
【００２４】
本実施形態に係る移動通信システムは、ＬＴＥのＲｅｌ.９方式の移動通信システムである。
【００２５】
図１に示すように、本実施形態に係る移動通信システムでは、無線基地局ｅＮＢは、報知情報、具体的には、ＬＴＥのＲｅｌ.８方式の規制情報又はＬＴＥのＲｅｌ.９方式の規制情報（ＳＳＡＣ規制情報）を含むＳＩＢ２を送信するように構成されている。
【００２６】
図２に、ＬＴＥのＲｅｌ.９方式の規制情報（ＳＳＡＣ規制情報）を含むＳＩＢ２の一例について示す。
【００２７】
図３に示すように、本実施形態に係る移動局ＵＥは、無線アクセスネットワークとの間で通信を行うＡＳ（Ａｃｃｅｓｓ  Ｓｔｒａｔｕｍ）レイヤ機能（第１レイヤ機能）１０と、コアネットワークとの間で通信を行うＮＡＳ（Ｎｏｎ  Ａｃｃｅｓｓ  Ｓｔｒａｔｕｍ）レイヤ機能２０と、サービス制御ネットワーク（ＩＭＳ：ＩＰ  Ｍｕｌｔｉｍｅｄｉａ  Ｓｕｂｓｙｓｔｅｍ）との間で終端するＭＭＴＥＬ/ＩＭＳレイヤ機能３０と、アプリケーションレイヤ機能４０とを具備している。
【００２８】
図４に示すように、ＡＳレイヤ機能１０、すなわち、ＲＲＣ（Ｒａｄｉｏ  Ｒｅｓｏｕｒｃｅ  Ｃｏｎｔｒｏｌ）レイヤ機能は、報知情報受信部１１と、ＡＣ管理部１２と、調整部１３と、通知部１４と、受信部１５と、判定部１６と、発信部１７とを具備している。
【００２９】
報知情報受信部１１は、無線基地局ｅＮＢによって送信されている報知情報を受信するように構成されている。
【００３０】
ＡＣ管理部１２は、移動局ＵＥのＡＣを管理するように構成されている。例えば、ＡＣ管理部１２は、ＵＳＩＭ内に設けられていてもよい。
【００３１】
調整部１３は、移動局のＡＣ及び報知情報（具体的には、ＳＩＢ２）に含まれている第１規制情報（ａｃ-ＢａｒｒｉｎｇＦａｃｔｏｒ、ａｃ-ＢａｒｒｉｎｇＴｉｍｅ及びａｃ-ＢａｒｒｉｎｇＦｏｒＳｐｅｃｉａｌＡＣ）に基づいて、第２規制情報（ｍｍｔｅｌ-Ｖｏｉｃｅ-ＢａｒｒｉｎｇＦａｃｔｏｒ、ｍｍｔｅｌ-Ｖｉｄｅｏ-ＢａｒｒｉｎｇＦａｃｔｏｒ、ｍｍｔｅｌ-Ｖｏｉｃｅ-ＢａｒｒｉｎｇＴｉｍｅ及びｍｍｔｅｌ-Ｖｉｄｅｏ-ＢａｒｒｉｎｇＴｉｍｅ）を生成するように構成されている。
【００３２】
ここで、「ａｃ-ＢａｒｒｉｎｇＦａｃｔｏｒ」は、ＬＴＥのＲｅｌ.８方式の規制情報（第１規制情報）としての閾値であり、「ａｃ-ＢａｒｒｉｎｇＴｉｍｅ」は、ＬＴＥのＲｅｌ.８方式の規制情報としての時間情報である。
【００３３】
また、「ａｃ-ＢａｒｒｉｎｇＦｏｒＳｐｅｃｉａｌＡＣ」は、ＬＴＥのＲｅｌ.８方式の規制情報（第１規制情報）としてのＡＣ１１〜１５用の規制制御ビット（計５ビット）である。
【００３４】
また、「ｍｍｔｅｌ-Ｖｏｉｃｅ-ＢａｒｒｉｎｇＦａｃｔｏｒ」は、ＬＴＥのＲｅｌ.９方式の規制情報（第２規制情報、すなわち、ＳＳＡＣ規制情報）としての「ＭＭＴＥＬ-ｖｏｉｃｅ発信呼」用の閾値であり、「ｍｍｔｅｌ-Ｖｏｉｃｅ-ＢａｒｒｉｎｇＴｉｍｅ」は、ＬＴＥのＲｅｌ.９方式の規制情報としての「ＭＭＴＥＬ-ｖｏｉｃｅ発信呼」用の時間情報である。
【００３５】
さらに、「ｍｍｔｅｌ-Ｖｉｄｅｏ-ＢａｒｒｉｎｇＦａｃｔｏｒ」は、ＬＴＥのＲｅｌ.９方式の規制情報としての「ＭＭＴＥＬ-ｖｉｄｅｏ発信呼」用の閾値であり、「ｍｍｔｅｌ-Ｖｉｄｅｏ-ＢａｒｒｉｎｇＴｉｍｅ」は、ＬＴＥのＲｅｌ.９方式の規制情報としての「ＭＭＴＥＬ-ｖｉｄｅｏ発信呼」用の時間情報である。
【００３６】
すなわち、調整部１３は、発信呼の種別（例えば、ＭＭＴＥＬ-ｖｏｉｃｅ発信呼やＭＭＴＥＬ-ｖｉｄｅｏ発信呼等）ごとの第２規制情報を生成するように構成されていてもよい。
【００３７】
かかる第２規制情報（ＳＳＡＣ規制情報）の生成方法については、図７乃至図９を参照して後述する。
【００３８】
通知部１４は、調整部１３によって生成された第２規制情報を、ＭＭＴＥＬ/ＩＭＳレイヤ機能３０に通知するように構成されている。
【００３９】
ここで、通知部１４は、ＭＭＴＥＬ/ＩＭＳレイヤ機能３０に対して、「ａｃ-ＢａｒｒｉｎｇＦｏｒＳｐｅｃｉａｌＡＣ」やＡＣ管理部１２によって管理されている移動局ＵＥのＡＣについて通知しないように構成されている。
【００４０】
なお、ＭＭＴＥＬ-ｖｏｉｃｅ発信呼やＭＭＴＥＬ-ｖｉｄｅｏ発信呼が生じたタイミングではなく、報知情報受信部１１によって報知情報が受信されたタイミングで、調整部１３は、上述の第２規制情報を生成し、通知部１４は、上述の第２規制情報を、ＭＭＴＥＬ/ＩＭＳレイヤ機能３０に通知するように構成されていてもよい。
【００４１】
また、ＡＳレイヤ機能１０の調整部１３によって生成された第２規制情報を記憶しておき、生成された第２規制情報が前回記憶した値から変更になった場合にのみ、通知部１４は、かかる第２規制情報を、ＭＭＴＥＬ/ＩＭＳレイヤ機能３０に通知するように構成されていてもよい。
【００４２】
受信部１５は、ＭＭＴＥＬ/ＩＭＳレイヤ機能３０によって送信された発信処理要求を受信するように構成されている。
【００４３】
判定部１６は、ＭＭＴＥＬ/ＩＭＳレイヤ機能３０からの発信処理要求に応じて、発信処理の禁止期間内であるか否か（すなわち、タイマＴ３０２が起動中であるか否か）に基づいて、発信を行うことができるか否かについて判定するように構成されている。
【００４４】
発信部１７は、判定部１６によって発信を行うことができると判定された場合に、発信を行うように構成されている。
【００４５】
図５に示すように、ＭＭＴＥＬ/ＩＭＳレイヤ機能３０は、受信部２１と、規制情報管理部２２と、発信処理部２３と、判定部２４とを具備している。
【００４６】
受信部２１は、ＡＳレイヤ機能１０によって通知された第２規制情報を受信するように構成されている。
【００４７】
規制情報管理部２２は、受信部２１によって受信された第２規制情報を管理するように構成されている。
【００４８】
発信処理部２３は、ＭＭＴＥＬ-ｖｏｉｃｅ発信呼やＭＭＴＥＬ-ｖｉｄｅｏ発信呼が生じた場合に、判定部２４によって発信処理を行うことができると判定された場合に、ＡＳレイヤ機能１０に対して、発信処理開始要求を送信するように構成されている。
【００４９】
判定部２４は、規制情報管理部２２によって管理されている第２規制情報に基づいて、発信処理を行うことができるか否かについて判定するように構成されている。具体的な、判定方法については、後述する。
【００５０】
例えば、判定部２４は、判定部２４は、上述の第２規制情報に含まれる閾値（ｍｍｔｅｌ-Ｖｏｉｃｅ-ＢａｒｒｉｎｇＦａｃｔｏｒやｍｍｔｅｌ-Ｖｉｄｅｏ-ＢａｒｒｉｎｇＦａｃｔｏｒ）と乱数（ｒａｎｄ）とを比較することによって、発信処理を行うことができるか否かについて判定するように構成されていてもよい。ここで、乱数（ｒａｎｄ）は、[０，１）の一様乱数である。
【００５１】
また、判定部２４は、上述の第２規制情報に含まれる時間情報（ｍｍｔｅｌ-Ｖｏｉｃｅ-ＢａｒｒｉｎｇＴｉｍｅやｍｍｔｅｌ-Ｖｉｄｅｏ-ＢａｒｒｉｎｇＴｉｍｅ）に基づいて決定された発信処理の禁止期間内であるか否か（すなわち、タイマＴ３ｘｘが起動中であるか否か）について判定することによって、発信処理を行うことができるか否かについて判定するように構成されていてもよい。
【００５２】
（本発明の第１の実施形態に係る移動通信システムの動作）
図６乃至図１０を参照して、本発明の第１の実施形態に係る移動通信システムの動作について、具体的には、本発明の第１の実施形態に係る移動局ＵＥ内部の動作について説明する。
【００５３】
図６に示すように、ステップＳ１００１において、ＡＳレイヤ機能１０は、無線基地局ｅＮＢによって送信されているＳＩＢ２を受信し、ＳＩＢ２に含まれるＬＴＥのＲｅｌ.８方式に対応する第１規制情報（ａｃ-ＢａｒｒｉｎｇＦａｃｔｏｒ、ａｃ-ＢａｒｒｉｎｇＴｉｍｅ及びａｃ-ＢａｒｒｉｎｇＦｏｒＳｐｅｃｉａｌＡＣ）に基づいて、ＬＴＥのＲｅｌ.９方式に対応する第２規制情報（ｍｍｔｅｌ-Ｖｏｉｃｅ-ＢａｒｒｉｎｇＦａｃｔｏｒ、ｍｍｔｅｌ-Ｖｉｄｅｏ-ＢａｒｒｉｎｇＦａｃｔｏｒ、ｍｍｔｅｌ-Ｖｏｉｃｅ-ＢａｒｒｉｎｇＴｉｍｅ及びｍｍｔｅｌ-Ｖｉｄｅｏ-ＢａｒｒｉｎｇＴｉｍｅ）を生成する。
【００５４】
ここで、図７を参照して、かかる第２規制情報を生成する方法について説明する。
【００５５】
図７に示すように、ＡＳレイヤ機能１０は、ステップＳ１０１において、ＳＩＢ２を受信すると、ステップＳ１０２において、受信したＳＩＢ２内に、「ｓｙｓｔｅｍＩｎｆｏｒｍａｔｉｏｎＢｌｏｃｋＴｙｐｅ２-ｖ９ｘ０ｅｘｔ（ＬＴＥのＲｅｌ.９方式用の拡張報知情報）」が含まれているか否かについて判定する。
【００５６】
具体的には、ＡＳレイヤ機能１０は、ステップＳ１０１において、ＳＩＢ２のＡＳＮ.１符号化を行った後のビット系列において、図２に示す「．．．（Ａ）」で表現される「ｅｘｔｅｎｓｉｏｎ  ｍａｒｋｅｒ」に対応するビットが「１」であるか「０」であるかに基づいて、受信したＳＩＢ２内に、「ｓｙｓｔｅｍＩｎｆｏｒｍａｔｉｏｎＢｌｏｃｋＴｙｐｅ２-ｖ９ｘ０ｅｘｔ（ＬＴＥのＲｅｌ.９方式用の拡張報知情報）」が含まれているか否かについて判定する。
【００５７】
すなわち、ＡＳレイヤ機能１０は、「ｅｘｔｅｎｓｉｏｎ  ｍａｒｋｅｒ」が「１」である場合に、かかる拡張報知情報が含まれていると判定し、「ｅｘｔｅｎｓｉｏｎ  ｍａｒｋｅｒ」が「０」である場合に、かかる拡張報知情報が含まれていないと判定することができる。
【００５８】
なお、かかる「ｓｙｓｔｅｍＩｎｆｏｒｍａｔｉｏｎＢｌｏｃｋＴｙｐｅ２-ｖ９ｘ０ｅｘｔ（ＬＴＥのＲｅｌ.９方式用の拡張報知情報）」には、第３規制情報（図２に示す「ｍｍｔｅｌ-Ｖｏｉｃｅ-ＢａｒｒｉｎｇＦａｃｔｏｒ」、「ｍｍｔｅｌ-Ｖｉｄｅｏ-ＢａｒｒｉｎｇＦａｃｔｏｒ」、「ｍｍｔｅｌ-Ｖｏｉｃｅ-ＢａｒｒｉｎｇＴｉｍｅ」及び「ｍｍｔｅｌ-Ｖｉｄｅｏ-ＢａｒｒｉｎｇＴｉｍｅ」）が含まれている。
【００５９】
含まれていないと判定された場合、本動作は、図８に示す「１」に進み、含まれていると判定された場合、本動作は、ステップＳ１０３に進む。
【００６０】
ステップＳ１０３において、ＡＳレイヤ機能１０は、受信したＳＩＢ２内に、「ｓｓａｃ-ＢａｒｒｉｎｇＩｎｆｏ-ｖ９ｘ０ｅｘｔ」が含まれているか否かについて判定する。
【００６１】
含まれていないと判定された場合、本動作は、ステップＳ１０４に進み、含まれていると判定された場合、本動作は、ステップＳ１０６に進む。
【００６２】
ステップＳ１０４において、ＡＳレイヤ機能１０は、「ｍｍｔｅｌ-Ｖｏｉｃｅ-ＢａｒｒｉｎｇＦａｃｔｏｒ」に「１」を設定し、「ｍｍｔｅｌ-Ｖｏｉｃｅ-ＢａｒｒｉｎｇＴｉｍｅ」に任意値（例えば、「０」）を設定する。
【００６３】
また、ステップＳ１０５において、ＡＳレイヤ機能１０は、「ｍｍｔｅｌ-Ｖｉｄｅｏ-ＢａｒｒｉｎｇＦａｃｔｏｒ」に「１」を設定し、「ｍｍｔｅｌ-Ｖｉｄｅｏ-ＢａｒｒｉｎｇＴｉｍｅ」に任意値（例えば、「０」）を設定し、本動作は、図９に示す「２」に進む。
【００６４】
ステップＳ１０６において、ＡＳレイヤ機能１０は、受信したＳＩＢ２内に、「ｓｓａｃ-ＢａｒｒｉｎｇＦｏｒＭＭＴＥＬ-Ｖｏｉｃｅ」が含まれているか否かについて判定する。
【００６５】
含まれていないと判定された場合、本動作は、ステップＳ１０７に進み、含まれていると判定された場合、本動作は、ステップＳ１０８に進む。
【００６６】
ステップＳ１０７において、ＡＳレイヤ機能１０は、「ｍｍｔｅｌ-Ｖｏｉｃｅ-ＢａｒｒｉｎｇＦａｃｔｏｒ」に「１」を設定し、「ｍｍｔｅｌ-Ｖｏｉｃｅ-ＢａｒｒｉｎｇＴｉｍｅ」に任意値（例えば、「０」）を設定する。
【００６７】
ステップＳ１０８において、ＡＳレイヤ機能１０は、移動局ＵＥは、「Ｓｐｅｃｉａｌ  ＡＣ（ＡＣ１１〜１５）」を所有しているか否かについて判定する。
【００６８】
「Ｓｐｅｃｉａｌ  ＡＣ」を所有していると判定された場合、本動作は、ステップＳ１０９に進み、「Ｓｐｅｃｉａｌ  ＡＣ」を所有していないと判定された場合、本動作は、ステップＳ１１０に進む。
【００６９】
ステップＳ１０９において、ＡＳレイヤ機能１０は、移動局ＵＥが所有する全ての「Ｓｐｅｃｉａｌ  ＡＣ」が規制（Ｂａｒｒｅｄ）されているか否かについて、すなわち、「ｓｓａｃ-ＢａｒｒｉｎｇＦｏｒＭＭＴＥＬ-Ｖｏｉｃｅ」に含まれる「ａｃ-ＢａｒｒｉｎｇＦｏｒＳｐｅｃｉａｌＡＣ」の移動局ＵＥが所有する「Ｓｐｅｃｉａｌ  ＡＣ」に対応するビットが全て「１」であるか否かについて判定する。
【００７０】
ステップＳ１０９の判定結果が「ＹＥＳ」である場合、本動作は、ステップＳ１１０に進み、ステップＳ１０９の判定結果が「ＮＯ」である場合、本動作は、ステップＳ１０７に進む。
【００７１】
ステップＳ１１０において、ＡＳレイヤ機能１０は、「ｍｍｔｅｌ-Ｖｏｉｃｅ-ＢａｒｒｉｎｇＦａｃｔｏｒ」に「ａｃ-ＢａｒｒｉｎｇＦａｃｔｏｒ（「ｓｓａｃ-ＢａｒｒｉｎｇＦｏｒＭＭＴＥＬ-Ｖｏｉｃｅ」に含まれている値）」を設定し、「ｍｍｔｅｌ-Ｖｏｉｃｅ-ＢａｒｒｉｎｇＴｉｍｅ」に「ａｃ-ＢａｒｒｉｎｇＴｉｍｅ（「ｓｓａｃ-ＢａｒｒｉｎｇＦｏｒＭＭＴＥＬ-Ｖｏｉｃｅ」に含まれている値）」を設定する。
【００７２】
ステップＳ１１１において、ＡＳレイヤ機能１０は、受信したＳＩＢ２内に、「ｓｓａｃ-ＢａｒｒｉｎｇＦｏｒＭＭＴＥＬ-Ｖｉｄｅｏ」が含まれているか否かについて判定する。
【００７３】
含まれていないと判定された場合、本動作は、ステップＳ１１２に進み、含まれていると判定された場合、本動作は、ステップＳ１１１３に進む。
【００７４】
ステップＳ１１２において、ＡＳレイヤ機能１０は、「ｍｍｔｅｌ-Ｖｉｄｅｏ-ＢａｒｒｉｎｇＦａｃｔｏｒ」に「１」を設定し、「ｍｍｔｅｌ-Ｖｉｄｅｏ-ＢａｒｒｉｎｇＴｉｍｅ」に任意値（例えば、「０」）を設定し、本動作は、図９に示す「２」に進む。
【００７５】
ステップＳ１１３において、ＡＳレイヤ機能１０は、移動局ＵＥは、「Ｓｐｅｃｉａｌ  ＡＣ（ＡＣ１１〜１５）」を所有しているか否かについて判定する。
【００７６】
「Ｓｐｅｃｉａｌ  ＡＣ」を所有していると判定された場合、本動作は、ステップＳ１１４に進み、「Ｓｐｅｃｉａｌ  ＡＣ」を所有していないと判定された場合、本動作は、ステップＳ１１５に進む。
【００７７】
ステップＳ１１４において、ＡＳレイヤ機能１０は、移動局ＵＥが所有する全ての「Ｓｐｅｃｉａｌ  ＡＣ」が規制（Ｂａｒｒｅｄ）されているか否かについて、すなわち、「ｓｓａｃ-ＢａｒｒｉｎｇＦｏｒＭＭＴＥＬ-Ｖｉｄｅｏ」に含まれる「ａｃ-ＢａｒｒｉｎｇＦｏｒＳｐｅｃｉａｌＡＣ」の移動局ＵＥが所有する「Ｓｐｅｃｉａｌ  ＡＣ」に対応するビットが全て「１」であるか否かについて判定する。
【００７８】
ステップＳ１１４の判定結果が「ＹＥＳ」である場合、本動作は、ステップＳ１１５に進み、ステップＳ１１４の判定結果が「ＮＯ」である場合、本動作は、ステップＳ１１２に進む。
【００７９】
ステップＳ１１５において、ＡＳレイヤ機能１０は、「ｍｍｔｅｌ-Ｖｉｄｅｏ-ＢａｒｒｉｎｇＦａｃｔｏｒ」に「ａｃ-ＢａｒｒｉｎｇＦａｃｔｏｒ（「ｓｓａｃ-ＢａｒｒｉｎｇＦｏｒＭＭＴＥＬ-Ｖｉｄｅｏ」に含まれている値）」を設定し、「ｍｍｔｅｌ-Ｖｉｄｅｏ-ＢａｒｒｉｎｇＴｉｍｅ」に「ａｃ-ＢａｒｒｉｎｇＴｉｍｅ（「ｓｓａｃ-ＢａｒｒｉｎｇＦｏｒＭＭＴＥＬ-Ｖｉｄｅｏ」に含まれている値）」を設定し、本動作は、図９に示す「２」に進む。
【００８０】
図８に示すように、ステップＳ２０１において、ＡＳレイヤ機能１０は、受信したＳＩＢ２内に、「ａｃ-ＢａｒｒｉｎｇＦｏｒＭＯ-Ｄａｔａ」が含まれているか否かについて判定する。
【００８１】
含まれていないと判定された場合、本動作は、ステップＳ２０２に進み、含まれていると判定された場合、本動作は、ステップＳ２０４に進む。
【００８２】
ステップＳ２０２において、ＡＳレイヤ機能１０は、「ｍｍｔｅｌ-Ｖｏｉｃｅ-ＢａｒｒｉｎｇＦａｃｔｏｒ」に「１」を設定し、「ｍｍｔｅｌ-Ｖｏｉｃｅ-ＢａｒｒｉｎｇＴｉｍｅ」に任意値（例えば、「０」）を設定する。
【００８３】
また、ステップＳ２０３において、ＡＳレイヤ機能１０は、「ｍｍｔｅｌ-Ｖｉｄｅｏ-ＢａｒｒｉｎｇＦａｃｔｏｒ」に「１」を設定し、「ｍｍｔｅｌ-Ｖｉｄｅｏ-ＢａｒｒｉｎｇＴｉｍｅ」に任意値（例えば、「０」）を設定し、本動作は、図９に示す「２」に進む。
【００８４】
ステップＳ２０４において、ＡＳレイヤ機能１０は、移動局ＵＥは、「Ｓｐｅｃｉａｌ  ＡＣ（ＡＣ１１〜１５）」を所有しているか否かについて判定する。
【００８５】
「Ｓｐｅｃｉａｌ  ＡＣ」を所有していると判定された場合、本動作は、ステップＳ２０５に進み、「Ｓｐｅｃｉａｌ  ＡＣ」を所有していないと判定された場合、本動作は、ステップＳ２０６に進む。
【００８６】
ステップＳ２０５において、ＡＳレイヤ機能１０は、移動局ＵＥが所有する全ての「Ｓｐｅｃｉａｌ  ＡＣ」が規制（Ｂａｒｒｅｄ）されているか否かについて、すなわち、「ａｃ-ＢａｒｒｉｎｇＦｏｒＭＯ-Ｄａｔａ」に含まれる「ａｃ-ＢａｒｒｉｎｇＦｏｒＳｐｅｃｉａｌＡＣ」の移動局ＵＥが所有する「Ｓｐｅｃｉａｌ  ＡＣ」に対応するビットが全て「１」であるか否かについて判定する。
【００８７】
ステップＳ２０５の判定結果が「ＹＥＳ」である場合、本動作は、ステップＳ２０６に進み、ステップＳ２０５の判定結果が「ＮＯ」である場合、本動作は、ステップＳ２０２に進む。
【００８８】
ステップＳ２０６において、ＡＳレイヤ機能１０は、「ｍｍｔｅｌ-Ｖｏｉｃｅ-ＢａｒｒｉｎｇＦａｃｔｏｒ」に「ａｃ-ＢａｒｒｉｎｇＦａｃｔｏｒ（「ａｃ-ＢａｒｒｉｎｇＦｏｒＭＯ-Ｄａｔａ」に含まれている値）」を設定し、「ｍｍｔｅｌ-Ｖｏｉｃｅ-ＢａｒｒｉｎｇＴｉｍｅ」に「ａｃ-ＢａｒｒｉｎｇＴｉｍｅ（「ａｃ-ＢａｒｒｉｎｇＦｏｒＭＯ-Ｄａｔａ」に含まれている値）」を設定する。
【００８９】
また、ステップＳ２０７において、ＡＳレイヤ機能１０は、「ｍｍｔｅｌ-Ｖｉｄｅｏ-ＢａｒｒｉｎｇＦａｃｔｏｒ」に「ａｃ-ＢａｒｒｉｎｇＦａｃｔｏｒ（「ａｃ-ＢａｒｒｉｎｇＦｏｒＭＯ-Ｄａｔａ」に含まれている値）」を設定し、「ｍｍｔｅｌ-Ｖｉｄｅｏ-ＢａｒｒｉｎｇＴｉｍｅ」に「ａｃ-ＢａｒｒｉｎｇＴｉｍｅ（「ａｃ-ＢａｒｒｉｎｇＦｏｒＭＯ-Ｄａｔａ」に含まれている値）」を設定し、本動作は、図９に示す「２」に進む。
【００９０】
図９に示すように、ステップＳ３０１（すなわち、図６のステップＳ１００２に対応）において、ＡＳレイヤ機能１０は、生成した第２規制情報（ＳＳＡＣ規制情報）である「ｍｍｔｅｌ-Ｖｏｉｃｅ-ＢａｒｒｉｎｇＦａｃｔｏｒ」と「ｍｍｔｅｌ-Ｖｏｉｃｅ-ＢａｒｒｉｎｇＴｉｍｅ」と「ｍｍｔｅｌ-Ｖｉｄｅｏ-ＢａｒｒｉｎｇＦａｃｔｏｒ」と「ｍｍｔｅｌ-Ｖｉｄｅｏ-ＢａｒｒｉｎｇＴｉｍｅ」とを、ＭＭＴＥＬ/ＩＭＳレイヤ機能３０に対して送信する。
【００９１】
図６に戻り、ＭＭＴＥＬ/ＩＭＳレイヤ機能３０は、ステップＳ１００３において、ＭＭＴＥＬ-ｖｏｉｃｅ発信呼やＭＭＴＥＬ-ｖｉｄｅｏ発信呼が生じると、すなわち、アプリケーションレイヤ機能４０からＭＭＴＥＬ発信要求を受信すると、ＳＳＡＣ規制判定を行う、すなわち、上述の第２規制情報である「ｍｍｔｅｌ-Ｖｏｉｃｅ-ＢａｒｒｉｎｇＦａｃｔｏｒ」と「ｍｍｔｅｌ-Ｖｏｉｃｅ-ＢａｒｒｉｎｇＴｉｍｅ」と「ｍｍｔｅｌ-Ｖｉｄｅｏ-ＢａｒｒｉｎｇＦａｃｔｏｒ」と「ｍｍｔｅｌ-Ｖｉｄｅｏ-ＢａｒｒｉｎｇＴｉｍｅ」とに基づいて、発信処理を行うことができるか否かについて判定する。
【００９２】
ここで、図１０を参照して、かかるＳＳＡＣ規制判定の方法について説明する。
【００９３】
図１０に示すように、ＭＭＴＥＬ/ＩＭＳレイヤ機能３０は、ステップＳ２０１において、アプリケーションレイヤ機能４０からＭＭＴＥＬ発信要求を受信すると、ステップＳ２０２において、タイマＴｘｘが起動中であるか否かについて判定する。
【００９４】
タイマＴｘｘが起動中であると判定された場合、本動作は、ステップＳ２０５に進み、タイマＴｘｘが起動中でないと判定された場合、本動作は、ステップＳ２０３に進む。
【００９５】
ステップＳ２０３において、ＭＭＴＥＬ/ＩＭＳレイヤ機能３０は、乱数（ｒａｎｄ）と、「ＭＭＴＥＬ/ＩＭＳ-Ｖｏｉｃｅ」又は「ＭＭＴＥＬ/ＩＭＳ-Ｖｉｄｅｏ」の呼種別に応じて、第２規制情報である「ｍｍｔｅｌ-Ｖｏｉｃｅ-ＢａｒｒｉｎｇＦａｃｔｏｒ（閾値）」又は「ｍｍｔｅｌ-Ｖｉｄｅｏ-ＢａｒｒｉｎｇＦａｃｔｏｒ」とを比較する。ここで、乱数（ｒａｎｄ）は、［０，１）の一様乱数である。
【００９６】
ここで、乱数（ｒａｎｄ）がｍｍｔｅｌ-Ｖｏｉｃｅ-ＢａｒｒｉｎｇＦａｃｔｏｒ（閾値）」又は「ｍｍｔｅｌ-Ｖｉｄｅｏ-ＢａｒｒｉｎｇＦａｃｔｏｒ」よりも小さいと判定された場合、本動作は、ステップＳ２０６に進み、乱数（ｒａｎｄ）がｍｍｔｅｌ-Ｖｏｉｃｅ-ＢａｒｒｉｎｇＦａｃｔｏｒ（閾値）」又は「ｍｍｔｅｌ-Ｖｉｄｅｏ-ＢａｒｒｉｎｇＦａｃｔｏｒ」よりも小さくないと判定された場合、本動作は、ステップＳ２０４に進む。
【００９７】
ステップＳ２０４（図６のステップＳ１００５に対応）において、ＭＭＴＥＬ/ＩＭＳレイヤ機能３０は、タイマＴ３ｘｘを起動する。
【００９８】
ここで、ＭＭＴＥＬ/ＩＭＳレイヤ機能３０は、タイマＴ３ｘｘの設定値を、「ｍｍｔｅｌ-Ｖｏｉｃｅ-ＢａｒｒｉｎｇＴｉｍｅ」又は「ｍｍｔｅｌ-Ｖｉｄｅｏ-ＢａｒｒｉｎｇＴｉｍｅ」の値としてもよいし、（０.７＋０.６×「乱数（ｕ）」）×「ｍｍｔｅｌ-Ｖｏｉｃｅ-ＢａｒｒｉｎｇＴｉｍｅ」又は（０.７＋０.６×「乱数（ｕ）」）×「ｍｍｔｅｌ-Ｖｉｄｅｏ-ＢａｒｒｉｎｇＴｉｍｅ」によって算出される値としてもよいし、所定の固定値としてもよい。ここで、「乱数（ｕ）」は、［０，１）の一様乱数である。
【００９９】
ステップＳ２０５（図６のステップＳ１００６に対応）において、ＭＭＴＥＬ/ＩＭＳレイヤ機能３０は、発信処理を行うことができないと判定し、アプリケーションレイヤ機能４０に対して、発信失敗通知を送信する。
【０１００】
ステップＳ２０６（図６のステップＳ１００７に対応）において、ＭＭＴＥＬ/ＩＭＳレイヤ機能３０は、発信処理を行うことができると判定し、ＮＡＳレイヤ機能２０経由でＡＳレイヤ機能１０に対して、発信処理要求を送信する。
【０１０１】
ステップＳ２０７（図６のステップＳ１００８に対応）において、ＡＳレイヤ機能１０は、タイマＴ３０２が起動中であるか否かについて判定する。
【０１０２】
タイマＴ３０２が起動中であると判定された場合、本動作は、ステップＳ２０８（図５のステップＳ１００９に対応）に進み、タイマＴ３０２が起動中でないと判定された場合、本動作は、ステップＳ２０９（図６のステップＳ１０１１に対応）に進む。
【０１０３】
ステップＳ２０８において、ＡＳレイヤ機能１０は、発信を行うことができないと判定し、上位レイヤに対して（ＮＡＳレイヤ機能２０を介してＭＭＴＥＬ/ＩＭＳレイヤ機能３０に対して）、発信失敗通知を送信する。その後、図６のステップＳ１０１０において、ＭＭＴＥＬ/ＩＭＳレイヤ機能３０は、アプリケーションレイヤ機能４０に対して、発信失敗通知を送信する。
【０１０４】
一方、ステップＳ２０９において、ＡＳレイヤ機能１０は、発信を行うことができると判定し、発信を行う、すなわち、無線基地局ｅＮＢに対して、接続要求を送信する。
【０１０５】
なお、ＡＳレイヤ機能１０は、接続要求の応答として無線基地局ｅＮＢからＲＲＣＣｏｎｎｅｃｔｉｏｎＲｅｊｅｃｔ（Ｒｅｊｅｃｔ信号）を受信した場合、該ＲＲＣＣｏｎｎｅｃｔｉｏｎＲｅｊｅｃｔに含まれる値にＴ３０２を設定し、Ｔ３０２を起動する。
【０１０６】
このとき、ＡＳレイヤ機能１０は、同時にＴ３０２の値をＭＭＴＥＬ/ＩＭＳレイヤ機能３０に通知し、ＭＭＴＥＬ/ＩＭＳレイヤ機能３０が、上述のステップＳ２０７におけるタイマＴ３０２が起動中であるか否かについての判定を行うように構成されていてもよい。
【０１０７】
或いは、ＭＭＴＥＬ/ＩＭＳレイヤ機能３０が、ＡＳレイヤ機能１０から受け取ったタイマＴ３０２の値にＴ３ｘｘを設定し、Ｔ３ｘｘを起動してもよい。
【０１０８】
なお、以上の例では、受信したＳＩＢ２内に、「ｓｙｓｔｅｍＩｎｆｏｒｍａｔｉｏｎＢｌｏｃｋＴｙｐｅ２-ｖ９ｘ０ｅｘｔ」が含まれているか否かについて判定し、かかる判定結果に応じて「ＭＭＴＥＬ/ＩＭＳ-Ｖｏｉｃｅ」及び「ＭＭＴＥＬ/ＩＭＳ-Ｖｉｄｅｏ」に対して、ＬＴＥのＲｅｌ.９方式の「ＳＳＡＣ規制情報」を適用するか、ＬＴＥのＲｅｌ.８方式の「Ｃｏｍｍｏｎ  ＡＣ規制情報」を適用するかを切り替えていた。
【０１０９】
代替案として、拡張報知情報が含まれるか否かを明示的に示す他の情報要素を報知情報に含め、かかる情報要素に基づき判定してもよい。
【０１１０】
また、異なる代替案として、「ＭＭＴＥＬ/ＩＭＳ-Ｖｏｉｃｅ」及び「ＭＭＴＥＬ/ＩＭＳ-Ｖｉｄｅｏ」に対して、ＬＴＥのＲｅｌ.９方式の「ＳＳＡＣ規制情報」を適用するか、ＬＴＥのＲｅｌ.８方式の「Ｃｏｍｍｏｎ  ＡＣ規制情報」を適用するかを明示的に示す情報要素を報知情報に含め、かかる情報要素に基づき判定してもよい。
【０１１１】
（本発明の第１の実施形態に係る移動通信システムの作用・効果）
本発明の第１の実施形態に係る移動通信システムによれば、無線基地局ｅＮＢが、ＬＴＥのＲｅｌ.９方式のＳＳＡＣ規制情報を送信することができない場合であっても、移動局ＵＥは、ＬＴＥのＲｅｌ.８方式の「ａｃ-ＢａｒｒｉｎｇＩｎｆｏ」に基づいて、「ＭＭＴＥＬ-ｖｏｉｃｅ発信呼」や「ＭＭＴＥＬ-ｖｉｄｅｏ発信呼」に対しても規制を行うことができ、「ＭＭＴＥＬ-ｖｏｉｃｅ発信呼」や「ＭＭＴＥＬ-ｖｉｄｅｏ発信呼」による輻輳を回避することができる。
【０１１２】
また、本発明の第１の実施形態に係る移動通信システムによれば、ＡＳ（ＲＲＣ）レイヤ機能とＭＭＴＥＬ/ＩＭＳレイヤ機能とのＩｎｔｅｒａｃｔｉｏｎを統一することができ、ＭＭＴＥＬ/ＩＭＳレイヤ機能における規制判定処理を簡素化することができる。
【０１１３】
以上に述べた本実施形態の特徴は、以下のように表現されていてもよい。
【０１１４】
本実施形態の第１の特徴は、移動局ＵＥであって、無線アクセスネットワークとの間で通信を行うＡＳレイヤ機能１０と、サービス制御ネットワークとの間で終端するＭＭＴＥＬ/ＩＭＳレイヤ機能３０とを具備しており、ＡＳレイヤ機能１０は、無線基地局ｅＮＢから、ＬＴＥのＲｅｌ.８方式（旧方式）の移動通信システムで用いられる第１規制情報（ａｃ-ＢａｒｒｉｎｇＦａｃｔｏｒ及びａｃ-ＢａｒｒｉｎｇＴｉｍｅ）を含む報知情報（ＳＩＢ２）を受信するように構成されている報知情報受信部１１と、移動局ＵＥのＡＣを管理するように構成されているＡＣ管理部１２と、移動局ＵＥのＡＣ及び第１規制情報（ａｃ-ＢａｒｒｉｎｇＦａｃｔｏｒ及びａｃ-ＢａｒｒｉｎｇＴｉｍｅ）に基づいて、ＬＴＥのＲｅｌ.９方式（新方式）の移動通信システムで用いられる第２規制情報（ｍｍｔｅｌ-Ｖｏｉｃｅ-ＢａｒｒｉｎｇＦａｃｔｏｒ、ｍｍｔｅｌ-Ｖｉｄｅｏ-ＢａｒｒｉｎｇＦａｃｔｏｒ、ｍｍｔｅｌ-Ｖｏｉｃｅ-ＢａｒｒｉｎｇＴｉｍｅ及びｍｍｔｅｌ-Ｖｉｄｅｏ-ＢａｒｒｉｎｇＴｉｍｅ）を生成するように構成されている調整部１３と、かかる第２規制情報を、ＭＭＴＥＬ/ＩＭＳレイヤ機能３０に通知するように構成されている通知部１４とを具備しており、ＭＭＴＥＬ/ＩＭＳレイヤ機能３０は、かかる第２規制情報に基づいて、発信処理を行うことができるか否かについて判定するように構成されている判定部２４を具備することを要旨とする。
【０１１５】
本実施形態の第１の特徴において、調整部１３は、無線基地局ｅＮＢから受信した報知情報（ＳＩＢ２）に、ＬＴＥのＲｅｌ.８方式の移動通信システムの拡張報知情報を含むか否かについて判定するように構成されており、かかる拡張報知情報が含まれていないと判定された場合は、第１規制情報に基づいて、第２規制情報を生成するように構成されており、かかる拡張報知情報が含まれていると判定された場合は、かかる拡張報知情報に含まれる第３規制情報（ｍｍｔｅｌ-Ｖｏｉｃｅ-ＢａｒｒｉｎｇＦａｃｔｏｒ、ｍｍｔｅｌ-Ｖｉｄｅｏ-ＢａｒｒｉｎｇＦａｃｔｏｒ、ｍｍｔｅｌ-Ｖｏｉｃｅ-ＢａｒｒｉｎｇＴｉｍｅ及びｍｍｔｅｌ-Ｖｉｄｅｏ-ＢａｒｒｉｎｇＴｉｍｅ）に基づいて、第２規制情報を生成するように構成されていてもよい。
【０１１６】
本実施形態の第１の特徴において、ＡＳレイヤ機能１０は、ＭＭＴＥＬ/ＩＭＳレイヤ機能３０からの発信処理要求に応じて、発信処理の禁止期間内であるか否か（すなわち、タイマＴ３０２が起動中であるか否か）に基づいて、発信を行うことができるか否かについて判定するように構成されている判定部１６を更に具備してもよい。
【０１１７】
本実施形態の第１の特徴において、ＡＳレイヤ機能１０の判定部１６は、接続要求の応答として無線基地局からＲｅｊｅｃｔ信号を受信した場合に、かかるＲｅｊｅｃｔ信号に含まれる値に基づいて、上述の発信処理の禁止期間を管理するタイマＴ３０２を起動するように構成されていてもよい。
【０１１８】
本実施形態の第１の特徴において、ＭＭＴＥＬ/ＩＭＳレイヤ機能３０の判定部２４は、上述の第２規制情報に含まれる閾値（ａｃ-ＢａｒｒｉｎｇＦａｃｔｏｒ）と乱数（ｒａｎｄ）とを比較することによって、発信処理を行うことができるか否かについて判定するように構成されていてもよい。
【０１１９】
本実施形態の第１の特徴において、ＭＭＴＥＬ/ＩＭＳレイヤ機能３０の判定部２４は、上述の第２規制情報に含まれる時間情報（ａｃ-ＢａｒｒｉｎｇＴｉｍｅ）に基づいて決定された発信処理の禁止期間内であるか否か（すなわち、タイマＴ３ｘｘが起動中であるか否か）について判定することによって、発信処理を行うことができるか否かについて判定するように構成されていてもよい。
【０１２０】
本実施形態の第１の特徴において、ＭＭＴＥＬ/ＩＭＳレイヤ機能３０の判定部２４は、発信処理を行うことができないと判定した場合に、上述の第２規制情報に含まれる時間情報に基づいて、上述の発信処理の禁止期間を管理するタイマＴ３ｘｘを起動するように構成されていてもよい。
【０１２１】
本実施形態の第１の特徴において、ＡＳレイヤ機能１０の調整部１３は、発信呼の種別（例えば、ＭＭＴＥＬ-ｖｏｉｃｅ発信呼やＭＭＴＥＬ-ｖｉｄｅｏ発信呼等）ごとの第２規制情報を生成するように構成されていてもよい。
【０１２２】
本実施形態の第１の特徴において、ＡＳレイヤ機能１０の報知情報受信部１１によって報知情報が受信されたタイミングで、ＡＳレイヤ機能１０の調整部１３は、上述の第２規制情報を生成し、ＡＳレイヤ機能１０の通知部１４は、上述の第２規制情報を、ＭＭＴＥＬ/ＩＭＳレイヤ機能３０に通知するように構成されていてもよい。
【０１２３】
本実施形態の第１の特徴において、ＡＳレイヤ機能１０の調整部１３によって生成された第２規制情報を記憶し、生成された第２規制情報が前回記憶した値から変更になった場合にのみ、ＡＳレイヤ機能１０の通知部１４は、かかる第２規制情報を、ＭＭＴＥＬ/ＩＭＳレイヤ機能３０に通知するように構成されていてもよい。
【０１２４】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【０１２５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【０１２７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１２８】
ｅＮＢ…無線基地局
ＵＥ…移動局
１０…ＡＳレイヤ機能
１１…報知情報受信部
１２…ＡＣ管理部
１３…調整部
１４…通知部
１５…受信部
１６…判定部
１７…発信部
２０…ＮＡＳレイヤ機能
３０…ＭＭＴＥＬ/ＩＭＳレイヤ機能
２１…受信部
２２…規制情報管理部
２３…発信処理部
２４…判定部
４０…アプリケーションレイヤ機能
【図１】
2011082716.tif 000003
【図２】
2011082716.tif 000004
【図３】
2011082716.tif 000005
【図４】
2011082716.tif 000006
【図５】
2011082716.tif 000007
【図６】
2011082716.tif 000008
【図７】
2011082716.tif 000009
【図８】
2011082716.tif 000010
【図９】
2011082716.tif 000011
【図１０】
2011082716.tif 000012
【図１１】
2011082716.tif 000013
【図１２】
2011082716.tif 000014